(57)【要約】【課題】前扉をこじ開ける等の強硬な不正を防止するとともに、仮に不正開放されたとしても前扉側に設けられる機器への不正操作を防止する等の遊技機を提供する。【解決手段】スロットマシン１において前扉３がキャビネット２を開閉可能に閉塞し、前扉の裏面側にメダルセレクタ３８を覆い且つキャビネット側のメダル払出装置２４に対向する金属製の遮蔽板５０を固定する。この遮蔽板により、ドリル等を使った不正な穴開けや前方からの不正な侵入を阻止し、また仮に前扉が開放された場合でもメダルセレクタ等を遮蔽板が覆う構造により、これら内部機器への不正操作を効果的に防止する。【選択図】図２
2008237346.tif 000002
【特許請求の範囲】
【請求項１】
少なくとも遊技媒体払出装置を収容するキャビネットと、前記キャビネットの開口を閉塞し少なくとも遊技媒体選別装置を裏面側に設けた前扉とを備えた遊技機であって、
前記遊技媒体選別装置を裏面側で覆うとともに前記遊技媒体払出装置に対向する遮蔽板を前記前扉の裏面に固定したことを特徴とする遊技機。
【請求項２】
前記前扉は、前記遮蔽板を少なくとも面要素とするパネル構造の枠体を介して形成されていることを特徴とする請求項１に記載の遊技機。
【発明の詳細な説明】
【技術分野】
【０００１】
本発明は、遊技に使用する例えばメダル等の遊技媒体を払い出す遊技媒体払出装置等を筐体内部に収容する遊技機に関し、特に、遊技媒体を不正に取得するような外部からの不正操作を防止する対策が講じられた遊技機に関する。
【背景技術】
【０００２】
従来、遊技店舗に数多く設置される遊技機としてスロットマシンが知られている。一般的なスロットマシンは、遊技者が遊技媒体としてのメダルを投入することでゲームが開始し、回転するリールを遊技者がタイミングを見ながら停止操作して所定の図柄をラインに揃えることにより入賞が成立する。入賞が成立すると、遊技媒体払出装置であるメダル払出装置（ホッパー装置）が作動して、当該入賞の種類に応じた枚数のメダルが払い出される。
【０００３】
かかるスロットマシンにおいては、筐体内に設けられる主制御基板といわれるマイコンベースの制御基板が入賞の内部的な抽選やメダルの払い出し等の制御を行うため、これら主制御基板やメダル払出装置等は、メダルを不正に取得しようとする不正行為者による不正操作の対象とされていた。
【０００４】
従来のスロットマシンの筐体は、箱状のキャビネットの開口に前扉が閉塞して施錠されており、更に主制御基板については、従来カシメと呼ばれる特殊な封止構造のケース内に収容されてキャビネット内に離脱不能に取り付けられている。このように、主制御基板については、収容されるケースの脱着や開放を困難にすることで、不正ＲＯＭ交換等の不正操作の防止が図られている。
【０００５】
また、主制御基板やメダル払出装置等に対する外部からの不正操作を防止するため、例えば特許文献１には、キャビネットと前扉との間に透明な遮蔽手段を施錠して設けたスロットマシンの筐体構造が開示されている。
【０００６】
【特許文献１】特開２００３−１１７０５５号公報（特許第３４３６２６５号）
【発明の開示】
【発明が解決しようとする課題】
【０００７】
ところで、近年では、上述の主制御基板やメダル払出装置以外にも、例えば前扉の裏面側に設けられるメダルセレクタ等も不正操作の対象とされる場合が増えている。しかし、特許文献１に記載の筐体構造によれば、前扉のこじ開けられる等の強硬な不正行為に対しては無防備で、仮に前扉がこじ開けられてしまうと、上述の遮蔽手段はキャビネットの開口側を遮蔽する構造であるため、前扉の裏面側に配置されるメダルセレクタ等の機器への不正操作を容易に許してしまうといった課題があった。
【０００８】
本発明は、こうした従来の問題に鑑みてなされたものであり、キャビネットに閉塞する前扉をこじ開ける等の強硬な不正を効果的に防止するとともに、仮に前扉が不正開放されたとしても前扉の裏面側に設けられる機器への不正操作を防止することができる等の遊技機を提供することを目的としている。
【課題を解決するための手段】
【０００９】
上述した課題を解決するための本発明の有効な手段を以下説明する。
【００１０】
手段１は、少なくとも遊技媒体払出装置（例えばメダル払出装置２４）を収容するキャビネット（２）と、前記キャビネットの開口を閉塞し少なくとも遊技媒体選別装置（例えばメダルセレクタ３８）を裏面側に設けた前扉（３）とを備えた遊技機（例えばスロットマシン１）であって、前記遊技媒体選別装置を裏面側で覆うとともに前記遊技媒体払出装置に対向する遮蔽板（５０）を前記前扉の裏面に固定したことを特徴とする（請求項１）。
【００１１】
手段１の特徴を備えた遊技機によれば、前扉の裏面に固定した遮蔽板が遊技媒体払出装置の前方位置に対向するため、前扉から侵入させた不正具を使っての内部機器への不正操作を効果的に防止する。また、不正行為者が例えばドリルなどを使用して前扉に不正に穴を開けようとしても、遮蔽板で阻まれるため貫通させることは困難である。また、仮に前扉が開放されたとしても遮蔽板で覆われる遊技媒体選別装置等の前扉側の機器への不正操作をも防止する。したがって、不正にメダルを取得するような行為を効果的に防止することができる。
【００１２】
手段２は、手段１の遊技機であって、前記前扉は、前記遮蔽板を少なくとも面要素とするパネル構造の枠体（例えば横フレーム３１１、縦フレーム３１２、３１３及び遮蔽板５０からなる枠体）を介して形成されていることを特徴とする（請求項２）。
【００１３】
手段２の特徴を備えた遊技機によれば、遮蔽板を面要素とするパネル構造の枠体で前扉を形成することにより、外力に対する前扉の撓みを小さく抑え、不正なこじ開け等を困難にする。これにより、内部機器への不正操作及び不正にメダルを取得するような行為を効果的に防止することができる。
【発明の効果】
【００１４】
上述したように本発明の遊技機によれば、前扉の不正なこじ開けや穴の貫通等を困難にし、内部機器に対する不正操作を防止することができる。また、仮に前扉が不正開放されたとしても前扉の裏面側に設けられる例えば遊技媒体選別装置等への不正操作を防止することができる。これらのことより、不正にメダルを取得するような行為を効果的に防止することができる。
【発明を実施するための最良の形態】
【００１５】
以下、本発明に係る遊技機の好適な実施形態としてスロットマシンを例に図面を参照して説明する。ここで、図１は、本発明の一つの実施形態によるスロットマシン１の外観構造を表した斜視図である。
【００１６】
まず、図１を参照しながら、スロットマシン１の基本的な構成を説明する。スロットマシン１は、前面側に開口を有する矩形箱状のキャビネット２と、当該キャビネット２に開閉可能に取り付けられる前扉３とからなる筐体を備えている。通常時においては、前扉３がキャビネット２に対しその開口を閉塞した状態で施錠されている。
【００１７】
前扉３の前面側には、遊技者に面する化粧板としてのいわゆるフロントマスクが形成されている。フロントマスクの上段部には、ゲームのキャラクター等のアニメーション画像を表示して、内部当たりの告知や入賞を演出するための液晶表示装置７が配設されている。また、ゲームの進行に応じて点灯及び点滅する光により演出する上部ランプ５ａ及びコーナーランプ５ｂ、５ｃと、スピーカを内蔵し楽音や効果音によりゲームを演出する放音部６ａ、６ｂとが配設されている。
【００１８】
フロントマスクの中段部には、平坦な樹脂板からなる中パネル８が設けられ、中パネル８の中央に形成された四角形の透明領域である表示窓８ａを介して、キャビネット２内部の３個のリール１０ａ、１０ｂ、１０ｃが目視される。なお、各リール１０ａ、１０ｂ、１０ｃはそれぞれ独立して回転可能であり、それぞれの外周面に描かれた縦３個、横３列の図柄（図示略）が、表示窓８ａを介して変動表示されるようになっている。
【００１９】
中パネル８の下方には、前方に若干突出する卓状の操作卓が形成されている。この操作卓には、ゲームに賭けるメダルを投入するためのメダル投入部１１と、ゲーム開始を指示するベットボタン１２と、リール１０ａ、１０ｂ、１０ｃの回転開始を指示するスタートレバー１３と、各リール１０ａ、１０ｂ、１０ｃの回転停止を指示するストップボタン１４ａ、１４ｂ、１４ｃ等がそれぞれ所定の位置に配設されている。また、操作卓に向かってその右側端部には、前扉３を解錠操作するため鍵が挿入される鍵穴９が形成されている。
【００２０】
フロントマスクの下方部には、スロットマシン１のモデルタイプ等を遊技者へ認識させるための、例えば登場キャラクターの絵柄（図示略）などが印刷された略四角形のプラスチック板である下パネル１５が取り付けられている。
【００２１】
フロントマスクの最下部には、入賞等の際にメダルを払い出すメダル払出口１６と、メダル払出口１６から払い出されたメダルを貯留するための受け皿４ａとが形成された受け皿部材４が取り付けられている。また、受け皿部材４には、ゲームの演出効果音を発生させるスピーカを内蔵する放音部１７ａ、１７ｂがそれぞれ左右位置に形成されている。
【００２２】
かかるスロットマシン１は、キャビネット２内に設置されている後述の主制御基板２１によりゲーム動作が制御される。すなわち、スロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板２１は、リール１０ａ、１０ｂ、１０ｃを一斉に回転させると同時に、表示窓８ａに設定される有効ラインに引き込み停止制御可能な図柄の組み合せ、すなわち入賞を内部抽選する。
【００２３】
この内部抽選により何れかの入賞を当選したとき、その結果が主制御基板２１のＲＡＭの所定記憶領域に設定される内部当選フラグにセットされる。なお、この内部当選フラグがセットされ入賞が内定している状態を「内部当選状態」という。
【００２４】
次に、主制御基板２１は、ストップボタン１４ａ、１４ｂ、１４ｃが押圧操作されるに応じて対応するリールを順に停止させる。そして、主制御基板２１は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、主制御基板２１は後述するメダル払出装置２４を作動させ、クレジットの上限を超える枚数分のメダルをメダル払出口１６より受け皿４ａへ払い出している。
【００２５】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００２６】
次に、かかるスロットマシン１において、前扉３のこじ開け及び内部機器への不正操作を防止する対策が講じられた筐体内部の構造を更に詳細に説明する。ここで、図２は、前扉３を開いた状態での筐体内部の構造を表した斜視図である。
【００２７】
図２を参照し、まずキャビネット２側の構造を説明する。上述したようにキャビネット２は、前面側に開口を有する矩形の箱体として主に合成木板から形成されている。キャビネット２内の上部位置には、スロットマシン１の全体を統括制御するマイコンベースの主制御基板２１が、互いに対向する透明なケース部材に収容されて設けられている。主制御基板２１を収容するこのケース部材は、カシメと呼ばれる特殊な封止手段を介して閉塞され、キャビネット２の背板の内側面に離脱不能に固定されている。
【００２８】
また、キャビネット２内のほぼ中央には、３個のリール１０ａ、１０ｂ、１０ｃを軸方向に並設してユニット化したリール装置１０が、表示窓８ａに対向して所定のフレーム２３に固定されている。なお、リール装置１０の天板部には回胴装置基板２２が取り付けられ、主制御基板２１からの駆動パルス信号を中継し電流増幅して各リール１０ａ、１０ｂ、１０ｃに直結するステッピングモータに出力している。これにより、リール１０ａ、１０ｂ、１０ｃの回転及び停止の動作が主制御基板２１により制御される。
【００２９】
リール装置１０の下方には、メダル払出装置２４が設置されている。メダル払出装置２４は、複数枚のメダルを貯留可能な概略椀状のホッパー部２４１と、ホッパー部２４１の下方に連結する払出機構部２４２等を備えている。払出機構部２４２の板金ケース内には、ホッパー部２４１に貯留したメダルを保持する穴が円周に沿って形成された図示しない払出プレートが備えられている。メダル払出装置２４は、払出プレートを回転させることで、保持したメダルをスリット２４ａから付勢して外部に放出し、これにより受け皿４ａにメダルを払い出すようにしている。
また、メダル払出装置２４に隣接して、スロットマシン１に内蔵される各機器へ所要の電力を配電する電源装置２５が設置されている。
【００３０】
次に、図２と図３を参照して、前扉３の裏面側の構造を説明する。なお、図３は、後述する金属製の遮蔽板５０とそれが取り外された状態を表した前扉３の背面図である。
前扉３は、比較的硬質のプラスチックで一体成形された前面枠３０１をメインフレームとし、前面枠３０１の裏面側で上端部及び左右の両端部に、それぞれ長尺状の板金部材である横フレーム３１１と縦フレーム３１２、３１３がネジ止め固定されている。また、縦フレーム３１２、３１３の下方部には、後述する金属製の遮蔽板５０が架け渡されるように固定される。すなわち、横フレーム３１１及び縦フレーム３１２、３１３に面構造の遮蔽板５０を一体化して取り入れた、いわゆるパネル構造の枠体により前扉３の機械的な剛性が強化され、これにより不正に外力が加えられても全体の撓みを小さくして、こじ開けやピッキング等の不正行為を困難にしている。なお、遮蔽板５０を透明な強化プラスチックで形成してもよい。遮蔽板５０を透明にすることで、例えば不正基板の仕込み（所謂ぶら下がりゴト）などを容易及び早期に発見することができる。また、完全に透明でなくても、ガラスファイバやカーボンファイバで強度を増した半透明なプラスチックにより遮蔽板５０を形成してもよい。
【００３１】
右側の縦フレーム３１３には、ヒンジ機構である開閉支持機構４１、４２の一端側が固定されている。なお、開閉支持機構４１、４２の各他端側は、図２に示すようにキャビネット２の開口端部に固定され、これにより、前扉３がキャビネット２に対して回動開閉可能に支持される。
【００３２】
また、左側の縦フレーム３１２には、施錠機構３２０が構成されている。施錠機構３２０は、前扉３をキャビネット２側に閉じると自動的にこれらを施錠する。また、施錠機構３２０は、鍵穴９に挿入された所定の鍵で解錠操作されると、施錠状態を解除して前扉３の開放を許すようにしている。
【００３３】
前扉３の上部、つまり液晶表示装置７（図１参照）の裏面側にあたる位置には、画像制御基板３２と、当該画像制御基板３２の後方にサブ制御基板３１とが、それぞれ透明なケース部材に収容されて設けられている。また、前面側の上部ランプ５ａやコーナーランプ５ｂ、５ｃ等の光源（発光ダイオード）基板や、放音部６ａ、６ｂに対向するスピーカ６１ａ、６１ｂがそれぞれ所定位置に取り付けられている。
【００３４】
なお、サブ制御基板３１は、主制御基板２１の制御下で、ゲームの進行に応じて上述の画像制御基板３２に演出画像データを出力し、画像制御基板３２がこれに基づきビデオ信号に変換して液晶表示装置７に演出映像を表示させる演出画像表示制御を行っている。また、サブ制御基板３１は、ゲームの進行に応じて上部ランプ５ａやコーナーランプ５ｂ、５ｃ等を点灯・点滅させるとともに、スピーカ６１ａ、６１ｂ等に効果音や楽音等を鳴動させる等の光や音によるゲームの演出制御も行っている。
【００３５】
前扉３の裏面側で上述の表示窓８ａの周囲左右位置には、点灯することにより前面側の絵柄を明るく表示して、種々の遊技情報を告知する複数個の白熱ランプ３４、３５が取り付けられている。また、表示窓８ａの上方位置には、リール１０ａ、１０ｂ、１０ｃの図柄を照明するための冷陰極蛍光管を備えた蛍光灯ユニット３７が配置され、表示窓８ａの下方位置には、前面側のベットボタン１２、スタートレバー１３、ストップボタン１４ａ、１４ｂ、１４ｃ（ストップボタンユニット１４）等の操作スイッチ類の出力信号を主制御基板２１へ転送する中継基板である中央表示基板３６が配置されている。
【００３６】
中央表示基板３６の下方には、前面側のメダル投入部１１から投入されたメダルの正否を判別して振り分ける遊技媒体選別装置としてのメダルセレクタ３８が前面枠３０１の裏面側に取り付けられている。すなわち、メダルセレクタ３８は、メダル投入部１１に投入されたメダルが正規のものであると判定すると、メダルガイド部３８１側にメダルを通過させるとともに、光センサである内部のメダルセンサがメダルを検出して、主制御基板２１へその投入信号を出力する。なお、メダルガイド部３８１は、メダルセレクタ３８が正規のものと選別したメダルをメダル払出装置２４のホッパー部２４１に案内して貯留させる。
【００３７】
前面枠３０１において下パネル１５が取り付けられる部分にあたる位置には、当該下パネル１５の裏面側を照明する図示しない蛍光灯を収容するために後方に若干陥没する下パネル収容凹部１５１が一体的に形成されている。そして、下パネル収容凹部１５１の裏面には、前記蛍光灯を駆動するためのインバータ１５２が設けられている。
【００３８】
また、下パネル収容凹部１５１の裏面には、キャンセルシュート３９１及び払出シュート３９２がプラスチックで一体成形された中空のシュート部材３９が取り付けられている。キャンセルシュート３９１は、メダルセレクタ３８の下方に位置し、メダルセレクタ３８が排除し落下させた不適なメダル等をメダル払出口１６に案内する。一方、払出シュート３９２の背面には、メダル払出装置２４のスリット２４ａと位置整合するメダル受容口３９２ａが開口形成されている。すなわち、メダル払出装置２４は、スリット２４ａに対向するメダル受容口３９２ａを通して払出シュート３９２内にメダルを放出し、放出されたメダルが払出シュート３９２内の中空の通路に導かれて前面側のメダル払出口１６から受け皿４ａに払い出されるようになっている。
また、下パネル収容凹部１５１の裏面側下方部には、前面の放音部１７ａ、１７ｂに対向するスピーカ１７１ａ、１７１ｂが取り付けられている。
【００３９】
下パネル収容凹部１５１に設置された少なくともメダルセレクタ３８、シュート部材３９を裏面側から覆うように、略四角形に板金加工された金属製の遮蔽板５０が左右の縦フレーム３１２、３１３にネジ５６、５６、…を介して固定されている。遮蔽板５０は、シュート部材３９の一部を収容するシュート収容凹部５２と、スピーカ１７１ａ、１７１ｂの一部をそれぞれ収容するスピーカ収容凹部５４ａ、５４ｂと、メダルガイド部３８１のエンドを挿通させる位置に開口する開口部５１と、シュート部材３９のメダル受容口３９２ａに位置整合して開口する開口部５３と、ネジ５６、５６、…を挿通させる取り付け用のネジ孔５５、５５、…とを少なくとも備えている。そして、図２に示されたように、遮蔽板５０は、前扉３の補強フレームとしての横フレーム３１１及び縦フレーム３１２、３１３と一体をなし、下パネル収容凹部１５１の裏面側で少なくとも上述のメダルセレクタ３８とシュート部材３９とを覆う位置にネジ５６、５６、…で固定される。
【００４０】
以上説明した不正対策が施された筐体構造を備える本実施形態のスロットマシン１によれば、金属製の遮蔽板５０で前扉３の裏面側を覆うとともに、その遮蔽板５０をメダル払出装置２４の前方で対向する位置に設けた。これにより、特に前方から侵入させた針金等の不正具を使って、例えば所定の信号線をショートさせたり、メダル払出装置２４等の内部機器を誤作動させたりする等の不正操作を確実に防止することができる。また、不正行為者が例えばドリルなどで前扉３の下パネル１５に穴を貫通させようとしても遮蔽板５０に阻止されるため、かかる不正行為の完遂を困難にすることができる。
【００４１】
また、前扉３は、面要素としての遮蔽板５０が一体化したいわゆるパネル構造の金属枠体で補強されるため、前扉３をバール等で強硬にこじ開けようとしても、その撓みを小さく抑えることができる。したがって、前扉３の不正なこじ開けや隙間からのピッキング等を困難にし、前扉３の不正開放を効果的に防止することができる。
【００４２】
また、仮に前扉３が不正に開放されたとしても、前扉３の裏面側に配設されているメダルセレクタ３８等の機器が遮蔽板５０で覆われた構造であるため、これらメダルセレクタ３８等の機器を誤作動させたり、不正なものに交換したりする等の不正をも防止することができる。したがって、不正にメダルを取得するような行為を効果的に防止することができる。
【００４３】
更には、ゲーム中にホッパー部２４１のメダルが不足した場合など、メダル払出装置２４のメンテナンス作業をする際にも、従来通り前扉３を所定の鍵で解錠操作して開放すれば容易に行うことができ、その作業性を阻害することもない。
【産業上の利用可能性】
【００４４】
本発明は、スロットマシンに限らず、筐体構造を備える一般的な遊技機においても広く応用され得る。
【図面の簡単な説明】
【００４５】
【図１】本発明の一実施形態によるスロットマシンの外観構造を表した斜視図である。
【図２】図１のスロットマシンにおいて前扉を開いた状態での筐体内部の構造を表した斜視図である。
【図３】本発明の実施形態による遮蔽板とそれが取り外された状態を表した前扉の背面図である。
【符号の説明】
【００４６】
１…スロットマシン
２…キャビネット                          ３…前扉
４…受け皿部材                            ４ａ…受け皿
５ａ…上部ランプ                          ５ｂ、５ｃ…コーナーランプ
６ａ、６ｂ…放音部                        ７…液晶表示装置
８…中パネル                              ８ａ…表示窓
９…鍵穴
１０…リール装置                          １０ａ、１０ｂ、１０ｃ…リール
１１…メダル投入部                        １２…ベットボタン
１３…スタートレバー                      １４ａ、１４ｂ、１４ｃ…ストップボタン
１５…下パネル                            １６…メダル払出口
１７ａ、１７ｂ…放音部                    ２１…主制御基板
２２…回胴装置基板                        ２３…フレーム
２４…メダル払出装置                      ２４ａ…スリット
２５…電源装置                            ３１…サブ制御基板
３２…画像制御基板                        ３４、３５…白熱ランプ
３６…中央表示基板                        ３７…蛍光灯ユニット
３８…メダルセレクタ                      ３９…シュート部材
４１、４２…開閉支持機構                  ５０…遮蔽板
５１…開口部                              ５２…シュート収容凹部
５３…開口部                              ５４ａ、５４ｂ…スピーカ収容凹部
５５…ネジ孔                              ５６…ネジ
６１ａ、６１ｂ…スピーカ                  １５１…下パネル収容凹部
１７１ａ、１７１ｂ…スピーカ
２４１…ホッパー部                        ２４２…払出機構部
３０１…前面枠                            ３１１…横フレーム
３１２、３１３…縦フレーム                ３２０…施錠機構
３８１…メダルガイド部                    ３９１…キャンセルシュート
３９２…払出シュート                      ３９２ａ…メダル受容口
【図１】
2008237346.tif 000003
【図２】
2008237346.tif 000004
【図３】
2008237346.tif 000005